【手続補正書】
【提出日】平成16年8月5日(2004.8.5)
【手続補正１】
【補正対象書類名】明細書
【補正対象項目名】全文
【補正方法】変更
【補正の内容】
【書類名】    明細書
【発明の名称】  媒体計数装置および紙葉類処理装置
【特許請求の範囲】
【請求項１】
媒体を出入れ許容して収納する複数の収納部と、前記複数の収納部と搬送接続して媒体を計数する計数処理部とを備えた媒体計数装置であって、
一の収納部に収納されている媒体の収納量と、他の収納部の空き容量とを比較して媒体の移し替え可否を判定する判定手段と、
前記判定手段が移し替え可能と判定したとき、前記一の収納部の媒体を全て他の収納部に移し替えて空の収納部を形成し、前記空の収納部に対して該空の収納部以外の収納部から収納した媒体の全てを計数処理部を経由させて移し替え搬送する移し替え手順決定手段を備えた
媒体計数装置。
【請求項２】
少なくとも２つ以上の収納部を設け、前記収納部に収納された紙葉類を収納部間で搬送する第１の搬送手段と、収納部内の紙葉類を識別部を経由して他の収納部に搬送する第２の搬送手段と、前記第２の搬送手段の搬送過程において搬送された紙葉類を識別する識別部と、前記識別部の情報に基づいて収納部に収納された紙葉類の枚数を算出する収納枚数算出手段とを設けた紙葉類処理装置であって、
一の収納部に収納されている紙葉類の収納量と他の収納部の空き容量の総量とを比較して紙葉類の移し替え可否を判定する判定手段と、
前記判定手段が移し替え可能と判定したとき、前記一の収納部に収納されている全ての紙葉類を前記第１の搬送手段を介して他の収納部に移し替え搬送する搬送制御手段とを設け、
前記搬送制御手段が移し替え搬送制御して空の収納部を形成した後、前記空の収納部に対して該空の収納部以外の収納部に収納されている紙葉類の全てを前記第２の搬送手段を介して移し替え搬送する搬送過程において識別部を通過する紙葉類の識別を行い、この識別情報に基づいて収納枚数算出手段が紙葉類の枚数を確定することを特徴とする
紙葉類処理装置。
【請求項３】
前記収納部は、搬送経路上に接続される金種別の収納部、保留部、回収部、入出金口を含み、前記収納部に収納された各媒体の計数管理を行うことを特徴とする
請求項１または２記載の媒体計数装置および紙葉類処理装置。
【発明の詳細な説明】
【０００１】
【発明が属する技術分野】
この発明は、例えば両替機に内蔵されるような媒体計数装置に関し、さらに詳しくは移し替え専用の運用カセットを用いずに媒体を自動計数することができる媒体計数装置および紙葉類処理装置に関する。
【０００２】
【従来の技術】
以下、両替機に内蔵される紙幣処理装置を例にとって説明する。  
通常、この種の紙幣処理装置は紙幣を出入れ自由に収納した複数の金種別カセットを内蔵しており、これらのカセットから紙幣を出入れして、両替取引がなされている。
【０００３】
このようなカセット別の収納紙幣の全収納枚数を金種別に計数処理する場合は、紙幣を集積、繰出し可能で、紙幣を一時退避させるための計数・精査専用の空の運用収納部（運用カセット）を装置内部に備える必要があり、この運用収納部を装置内部に予め待機させていたり、新たに着脱操作して計数処理に対処している。
【０００４】
【発明が解決しようとする課題】
しかしながら、装置内部では計数処理用の運用収納部を設けるために、専用の配置スペースを要して装置自体が大型化し、また部品点数が増大してコスト高になり、また運用収納部を装置本体に着脱利用して運用する場合には、その都度、着脱作業を要して自動化できない問題を有していた。
【０００５】
そこでこの発明は、媒体の計数に際して、媒体を一時退避させる計数専用の運用収納部がなくても計数処理を可能にした計数処理機能を持たせることにより、部品点数を削減して装置の小型化および低コスト化を図ることができる媒体計数装置および紙葉類処理装置の提供を目的とする。
【０００６】
【課題を解決するための手段】
この発明は、媒体を出入れ許容して収納する複数の収納部と、前記複数の収納部と搬送接続して媒体を計数する計数処理部とを備えた媒体計数装置であって、一の収納部に収納されている媒体の収納量と、他の収納部の空き容量とを比較して媒体の移し替え可否を判定する判定手段と、前記判定手段が移し替え可能と判定したとき、前記一の収納部の媒体を全て他の収納部に移し替えて空の収納部を形成し、前記空の収納部に対して該空の収納部以外の収納部から収納した媒体の全てを計数処理部を経由させて移し替え搬送する移し替え手順決定手段を備えたことを特徴とする。
【０００７】
ここで媒体とは、硬貨、包装硬貨、ＩＣコインなどの円形媒体類、あるいは紙幣、カードなどの紙葉類を対象としている。
【０００８】
また収納部は、媒体を出入れ可能な機構を有するカセットで構成することができる。例えば、搬送経路上に接続される種類別の収納部としての金種別カセットに適用することができる。またこの他にも、媒体や紙葉類を移し替え可能なスペースを有する一時保留部、返却保留部などの保留部や回収部にも適用することができる。さらに、入出金取引時に硬貨や紙幣を一時保持する入出金口にも適用することができる。
【０００９】
また、処理対象が紙葉類の紙葉類処理装置としては、両替機、ＡＴＭ、精算機、券売機などの紙葉類を取扱う機器を対象としている。
【００１０】
さらに移し替え手順決定手段は、搬送駆動系に指令信号を出力する制御部で構成することができる。
【００１１】
この発明によれば、一側と他側の収納部間で媒体を移し替え可能と判定した場合は、現行の収納部をそのまま計数専用の収納部に適用できるため、媒体を移し替える過程で計数処理部に導けば計数することができる。このため、媒体を一時退避させるような運用収納部がなくても確実に計数することができる。また、最適な移し替え手順を決定するだけで、既存の設備を有効に利用して計数することができる。
【００１２】
さらに、この一側の収納部の収納枚数の観点から見て、移し替え対象となる他側の収納部が１つではなく、複数の分散した収納部に設定し、その複数の収納部の総空きスペース以下の移し替え量であれば、移し替え可能なため複数の収納部でも適用することができる。
【００１３】
この結果、装置内部では運用収納部を省略して内部構造を簡素化できるため、装置自体を小型化でき、また部品点数の削減に伴い低コスト化できるほか、計数・精査時には運用収納部を装置本体に着脱操作する必要もないため、計数・精査に伴う作業労力が解消されて計数処理を自動化できる。
【００１４】
【発明の実施の形態】
この発明の一実施の形態を以下図面に基づいて詳述する。  
図面は銀行等の各種店舗に設置される両替機を示し、図１において、この両替機１１は上部前面にカード挿入口１２と、明細票排出口１３と、スピーカ１４と、紙幣入出口１５と、タッチ入力兼用の表示器（ＣＲＴ）１６と、硬貨取出口１７と、包装硬貨取出口１８と、トレー１９等を備えて紙幣および硬貨の両替取引を許容している。
【００１５】
図２は両替機１１に内部構成される紙幣処理装置２１を示し、この紙幣処理装置２１は装置本体２２の上部側に紙幣を搬送処理する紙幣搬送群２３を設け、下部側に紙幣を収納する紙幣収納群２４を設けて、装置本体２２の上下を搬送系と収納系とに分離して内部構造の簡素化を図っている。
【００１６】
上部側の紙幣搬送群２３は、装置本体２２の上部正面側に既述した紙幣入出口１５に接続対応する入出金口２５を有し、この入出金口２５に投入された紙幣を上部中間位置に配設した識別部２６に導いて、真偽、金種、枚数を識別した後、一時保留部２７に導いて一時保留する。この取込んだ紙幣を識別部２６で識別不良と判定したときは、その識別不良紙幣を返却保留部２８に導いて一時保留した後、元の入出金口２５へと返却する。これに対し、適正に受付られて一時保留部２７に一時保留されている紙幣は、運用上の最適な収納タイミングを選んで下部側の紙幣収納群２４に１枚ずつ搬送して収納処理する。
【００１７】
一方、下部側の紙幣収納群２４は、第１〜第４カセットＣ1 〜Ｃ4 と、回収用の第５カセットＣ5 との５個のカセットＣ1 〜Ｃ5 を前後方向に立設状態に並列配設し、このうち第１〜第４カセットＣ1 〜Ｃ4 は紙幣の集積機能および繰出し機能を備えて、万円、五千円、二千円、千円の４金種を金種別に収納し、出金時には任意のカセットＣ1 〜Ｃ4 から金種別に１枚ずつ繰出して識別部２６でチェックしてから入出金口２５へと放出する。
【００１８】
また、第５カセットＣ5 は、上下を上部回収部２９と下部回収部３０とに区画して分割収納許容し、上部回収部２９には両替取引時に発生した識別不良紙幣および取忘れ紙幣等のリジェクト紙幣を回収し、下部回収部３０には金種別のカセットＣ1 〜Ｃ4 の収納限度を超えた入金紙幣を回収する。
【００１９】
この場合、紙幣の搬送経路に際して、識別部２６の後段は、上向きと下向きとに分岐接続し、上向き側はさらに一時保留部２７側と返却保留部２８側とに分岐接続して、下向き側は第５カセットＣ5 側と、第１カセットＣ1 側とに分岐接続している。
【００２０】
そして、第１カセットＣ1 から第２カセットＣ2 、第３カセットＣ3 、第４カセットＣ4 の順にカセットＣ1 〜Ｃ4 間を搬送接続した下側経路を構成する第１搬送ラインＬ1 と、第４カセットＣ4 の後段から識別部２６を経由して元の第１カセットＣ1 に接続する中間経路を構成する第２搬送ラインＬ2 とを組合せて下側に下ループ搬送路Ｒ1 を形成している。
【００２１】
また、識別部２６の後段から一時保留部２７および返却保留部２８を経て識別部２６の前段にループ状に接続する上部経路を構成する第３搬送ラインＬ3 と第２搬送ラインＬ2 とを組合せて上側に上ループ搬送路Ｒ2 を形成している。
【００２２】
図３は紙幣処理装置の制御回路ブロック図を示し、ＣＰＵ３１はＲＯＭ３２に格納されたプログラムに沿って各回路装置を制御し、その制御データをＲＡＭ３３で読出し可能に記憶する。
【００２３】
このＣＰＵ３１はＩ／Ｏインターフェース３４を介して紙幣搬送部３５と、操作部３６と、表示部３７を制御し、紙幣搬送部３５はＣＰＵ３１からの制御信号によって搬送路を駆動し、これに基づいて搬送されて来る紙幣を搬送経路上に沿って配設された図示しない紙幣検知センサで検知しながら搬送分岐位置に配設した振分け板で所定の方向に振分けて搬送処理位置に搬送する。
【００２４】
操作部３６は、顧客の取引データをＣＲＴ１６よりタッチ入力させ、また顧客の取引利用カードをカード挿入口１２より受付け、さらに両替すべき紙幣を紙幣入出口１５より受付け許容する。このほか、紙幣計数を指示させる場合等において係員から例えばＣＲＴ１６を用いて入力操作させる。
【００２５】
表示部３７は、ＣＲＴ１６や装置前面の付属の表示器、あるいは係員パネルなどに入力項目や操作ガイドを表示案内する。
【００２６】
上述のＲＡＭ３３に記憶されるデータとしては、計数動作可能フラグと、各部の集積容量と、金種別カセットの収納枚数と、カセット別の紙幣混在運用フラグとを記憶している。
【００２７】
この場合、計数動作可能フラグとは、計数動作が可能と判定された対象金種の設定フラグであり、また各部の集積容量とは、第１〜第５カセットＣ1 〜Ｃ5 、一時保留部２７、返却保留部２８の各部の集積容量である。さらに、金種別カセットの収納枚数とは、第１〜第４カセットＣ1 〜Ｃ4 の個々の現在の収納枚数であり、カセット別の紙幣混在運用フラグとは、第１〜第４カセットＣ1 〜Ｃ4 毎の紙幣混在の有無の設定フラグである。
【００２８】
ところで、ＣＰＵ３１は紙幣が識別部２６を通過したとき、その金種別の通過枚数を識別してＲＡＭ３３に記憶させ、そのＲＡＭデータに基づいて現在の第１〜第４カセットＣ1 〜Ｃ4 に収納されている収納枚数を正確に管理している。
【００２９】
これらのカセット別の個々の収納データからＣＰＵ３１は、ある１つのカセットに収納されている紙幣の収納量と、他の１つのカセットの空き容量か、または他のカセット、一時保留部２７、返却保留部２８および入出金口２５の複数の部位の空き容量の総量とを比較して、紙幣の移し替え可否を判定する移し替え判定プログラムをＲＯＭ３２に備えている。
【００３０】
さらに、紙幣の移し替えが可能と判定したとき、ＣＰＵ３１は移し替え元の１つのカセットの紙幣を全て他のカセットに移し替えて空のカセットを形成し、この空のカセットに対し、計数すべき他のカセットに収納している紙幣の全てを識別部２６を経由させて移し替え搬送すれば、その移し替える過程で識別部２６を通過させて計数することができる。このため、ＣＰＵ３１は計数に際して、上述の移し替え判定プログラムの判定結果に基づいて空のカセットに対して搬送移動させる移し替え手順を設定すれば、移し替えるだけで計数でき、この移し替えをカセット別に繰返し実行する移し替え手順決定プログラムをＲＯＭ３２に備えている。
【００３１】
このような移し替え判定プログラムと移し替え手順決定プログラムとに基づいてＣＰＵ３１が移し替え制御するように構成した制御機能を用いることにより、計数・精査専用の空のカセットを新たに装填することもなく、現行のカセットをそのまま計数・精査専用のカセットに適用して計数・精査することができる。
【００３２】
また、紙幣の移し替えに際しては、移し替え先は１つに限らず、複数の移し替え先の空き容量の総量が、移し替え元の収納量より多ければ、複数の移し替え先に分配して移し替えることができる。例えば、１つのカセットから繰出して特定のカセットと一時保留部２７との双方に分配して移し替えることができる。このほか、繰出し集積許容した第１〜第４カセットＣ1 〜Ｃ4 は移し替え容量を考慮して、全て同収納容量の収納スペースに設定している。
【００３３】
上述の一実施の形態では、両替機１１に使用される紙幣処理装置２１を例にとって示したが、包装硬貨処理装置の場合や硬貨処理装置の場合についても、媒体が異なるだけで同様に適用することができるため、同一構造の処理装置の説明は省略する。
【００３４】
このように構成された両替機１１の計数操作手順を図４のフローチャートおよび図５〜図８の表示画面案内例を参照して説明する。  
係員は両替機１１の計数に際して、先ず、図５に示すように、例えばＣＲＴ１６に両替機１１の計数処理案内画面を表示させた後、表示された選択画面から自動計数対象の紙幣、包装硬貨、硬貨の何れかの媒体を選択させる（ステップｎ1 ）。
【００３５】
係員が計数すべき媒体の種類を選択すると、例えば全部キーを選択して実行キーを入力操作した場合は（ステップｎ2 ）、
全ての種類の媒体についてＣＰＵ３１は計数可否をチェックするため、媒体の移し替えによる自動計数開始条件を満たしているかをチェックする（ステップｎ3 ）。
【００３６】
このとき、移し替えの余地がないことから自動計数開始条件を満たしていないと判定された場合は、図６に示すように、その判定された計数すべき媒体が自動計数できない旨をＣＲＴ１６に表示案内する（ステップｎ4 ）。
【００３７】
これに基づいて係員が計数処理を中止させる場合は、終了キーを押して計数処理を中止する（ステップｎ5 ）。
【００３８】
計数可能な媒体があり、その媒体について計数させる場合は、その媒体を選択指定して実行キーを入力すれば計数させることができ（ステップｎ6 ）、
計数が開始されると、図７に示すように、ＣＲＴ１６に計数待機画面を表示案内し（ステップｎ7 ）、
このとき、計数処理異常が発生すれば、直ちに計数処理を中断する（ステップｎ8 ）。
【００３９】
正常に計数処理を実行した場合は、図８に示すように、金種別の収納枚数、あるいは収納本数などの自動計数結果の全データをＣＲＴ１６に表示案内して自動計数処理が終了する。係員は、このデータを見て両替機１１が現在保有する媒体別および金種別の計数内容を管理することができる（ステップｎ9 ）。
【００４０】
次に、紙幣処理装置２１の自動計数開始条件と計数処理動作を図９のフローチャートを参照して説明する。  
ＣＰＵ３１は自動計数に先立って、自動計数開始条件をチェックし、移し替え可能か否かを判定する（ステップｎ11）。
【００４１】
このとき、ＣＰＵ３１が移し替え可能と判定すれば、紙幣の移し替え余地があることを確認し、続いて移し替え対象部位での繰出し・集積動作ができるかをチェックし（ステップｎ12）、
これらの条件を全て満していなければ計数処理を中断する（ステップｎ13）。
【００４２】
これに対し、全ての条件を満していれば、計数処理動作に移り、ＣＰＵ３１は図１０に示すように、例えば移し替え元の第１カセットＣ1 と移し替え先の第４カセットＣ4 が移し替え対象として確定したとき、第１カセットＣ1 の万円札を第４カセットＣ4 内に集積されている千円札上の空きスペースに向けて第１搬送ラインＬ1 を介して１枚ずつ搬送移動する（ステップｎ14）。
【００４３】
そして、図１１に示すように、第１カセットＣ1 からの移し替え動作が完了した時には第１カセットＣ1 内は空になり、第４カセットＣ4 内には下部の千円札群上に万円札群が上積み収納されて２金種が上下に積層された収納状態になる。
【００４４】
上述の空の第１カセットＣ1 が形成されると、続いて第４カセットＣ4 から紙幣を１枚ずつ繰出し、第２搬送ラインＬ2 上の識別部２６を通して空の第１カセットＣ1 に向けて搬送移動させる。このとき、ＣＰＵ３１は識別部２６で識別した金種別枚数データに基づいて計数し、移し替え動作の完了と同時に万円札と千円札の計数動作が完了する（ステップｎ15）。
【００４５】
第４カセットＣ4 からの移し替え動作完了時には図１２に示すように、第４カセットＣ4 内は空になり、第１カセットＣ1 内には上部に千円札群が収納され、下部に万円札群が収納されて２金種が上下に積層されて収納される。
【００４６】
次に、ＣＰＵ３１は第２カセットＣ2 の五千円札の計数に移り、第２カセットＣ2 に収納されている五千円札を、空になった第４カセットＣ4 内に向けて第１搬送ラインＬ1 を介して１枚ずつ搬送移動する。
【００４７】
そして、図１３に示すように、第２カセットＣ2 の五千円札の移し替え動作完了時には第２カセットＣ2 内は空になり、第４カセットＣ4 内には五千円札群が移し替え収納されている。
【００４８】
この移し替え動作に伴って、第２カセットＣ2 に空のカセットが形成されると、ＣＰＵ３１は第４カセットＣ4 から五千円札を１枚ずつ繰出し、第２搬送ラインＬ2 の識別部２６を通して空になった元の第２カセットＣ2 に向けて搬送移動させる。このとき、ＣＰＵ３１は識別部２６からの識別結果の金種別枚数データに基づいて計数することができ、移し替え動作の完了と同時に五千円札の計数動作が完了する（ステップｎ16）。
【００４９】
そして、図１４に示すように、第４カセットＣ4 の移し替え動作完了時には第４カセットＣ4 内は空になり、第２カセットＣ2 内には五千円札群が移し替え収納されている。
【００５０】
続いて、ＣＰＵ３１は第３カセットＣ3 の二千円札の計数に移り、第３カセットＣ3 に収納されている二千円札を、空になった第４カセットＣ4 内に向けて第１搬送ラインＬ1 を介して１枚ずつ搬送移動する。
【００５１】
そして、図１５に示すように、第３カセットＣ3 の二千円札の移し替え動作完了時には第３カセットＣ3 内は空になり、第４カセットＣ4 内には二千円札群が移し替え収納されている。
【００５２】
この移し替え動作に伴って、第３カセットＣ3 に空のカセットが形成されると、ＣＰＵ３１は第４カセットＣ4 から二千円札を１枚ずつ繰出し、第２搬送ラインＬ2 の識別部２６を通して空になった元の第３カセットＣ3 に向けて搬送移動させる。このとき、ＣＰＵ３１は識別部２６からの識別結果の金種別枚数データに基づいて計数することができ、移し替え動作の完了と同時に二千円札の計数動作が完了する（ステップｎ17）。
【００５３】
そして、図１６に示すように、第４カセットＣ4 の移し替え動作完了時には第４カセットＣ4 内は空になり、第３カセットＣ3 内には二千円札群が移し替え収納されている。
【００５４】
この移し替え動作に伴って、第４カセットＣ4 に空のカセットが形成されると、ＣＰＵ３１は第１カセットＣ1 から千円札を１枚ずつ繰出し、第１搬送ラインＬ1 を介して空になった元の第４カセットＣ4 に向けて搬送移動させて、図１７に示すように、全ての紙幣が元の位置に戻ると同時に全ての金種別紙幣の計数動作を終えたことを確認し、また自動計数完了条件を満していることを確信して計数処理が完了する（ステップｎ18〜ｎ19）。
【００５５】
このとき、自動計数完了条件を満さない不具合な状態が発生している場合は、計数処理を中断する（ステップｎ20）。
【００５６】
図１８は自動計数実行条件を満さないときの計数準備のための復旧処置を示し、この復旧処置は予め定められたカセット内の自動計数実行条件の収納限度枚数を超える過剰収納分を、例えば第５カセットＣ5 に搬送移動して第１〜第４カセットＣ1 〜Ｃ4 内の収納量を自動計数実行条件内に納める準備処理を施す。
【００５７】
この準備処理を施すことにより、その後は自動計数実行条件を満すので、紙幣をカセット間で移し替え操作して自動計数を実行することができる。また、過剰収納分の紙幣を他へ移動させる準備処理は、第５カセットＣ5 に限らず、一時保留部２７や返却保留部２８、入出金口２５にも適用することができる。
【００５８】
上述のように、現行のカセットをそのまま計数専用のカセットに適用すべく紙幣を移し替えて空のカセットを形成し、その空のカセットに対して紙幣を移し替える過程で識別部に導けば自動的に計数することができる。このため、最適な移し替え手順を決定するだけで、既存の設備を有効利用して計数・精査することができる。したがって、装置内部では計数・精査専用の運用カセットを省略して内部構造を簡素化できることから装置自体を小型化でき、また部品点数の削減に伴い低コスト化できるほか、計数・精査時には専用の運用カセットを装置本体に着脱操作する必要もなくなる。
【００５９】
この発明の構成と、上述の一実施の形態の構成との対応において、
この発明の媒体計数装置および紙葉類処理装置は、実施の形態の紙幣処理装置２１に対応し、
以下同様に、
媒体は、紙幣と、包装硬貨と、硬貨とに対応し、
種類別の収納部は、第１カセットＣ1 〜第４カセットＣ4 に対応し、
保留部は、一時保留部２７と返却保留部２８とに対応し、
回収部は、第５カセットＣ5 に対応し、
計数処理部は、識別部２６に対応し、
判定手段、移し替え手順決定手段、収納枚数算出手段および搬送制御手段は、ＣＰＵ３１、ＲＯＭ３２およびＲＡＭ３３を含む制御系に対応し、
第１の搬送手段は、第１搬送ラインＬ1 に対応し、
第２の搬送手段は、第２搬送ラインＬ2 に対応するも、この発明は請求項に示される技術思想に基づいて応用することができ、上述の一実施の形態の構成のみに限定されるものではない。
【００６０】
【発明の効果】
この発明によれば、媒体を移し替える過程で計数することができるため、媒体を一時退避させるような運用カセットがなくても確実に計数することができ、既存の設備を有効に利用して計数することができる。このため、装置の小型化および低コスト化を図ることができる。
【図面の簡単な説明】
【図１】  この発明の両替機の外観斜視図。
【図２】  この発明の紙幣処理装置の内部構成図。
【図３】  この発明の紙幣処理装置の制御回路ブロック図。
【図４】  この発明の両替機の計数操作手順を示すフローチャート。
【図５】  この発明の計数処理画面の初期案内例を示す表示図。
【図６】  この発明の計数処理画面の実行不可案内例を示す表示図。
【図７】  この発明の計数処理画面の処理中状態を示す表示図。
【図８】  この発明の計数処理画面の計数結果案内例を示す表示図。
【図９】  この発明の自動計数開始条件と計数処理動作を示すフローチャート。
【図１０】  この発明の万円札の移し替え動作を示す搬送経路図。
【図１１】  この発明の万円札と千円札の移し替え計数動作を示す搬送経路図。
【図１２】  この発明の五千円札の移し替え動作を示す搬送経路図。
【図１３】  この発明の五千円の移し替え計数動作を示す搬送経路図。
【図１４】  この発明の二千円札の移し替え動作を示す搬送経路図。
【図１５】  この発明の二千円札の移し替え計数動作を示す搬送経路図。
【図１６】  この発明の千円札の移し替え復帰動作を示す搬送経路図。
【図１７】  この発明の紙幣処理装置の移し替え完了状態を示す説明図。
【図１８】  この発明の計数準備処理用の移し替え動作を示す搬送経路図。
【符号の説明】
１１…両替機
２１…紙幣処理装置
２５…入出金口
２６…識別部
２７…一時保留部
２８…返却保留部
Ｃ1 〜Ｃ5 …カセット
Ｌ1 …第１搬送ライン
Ｌ2 …第２搬送ライン
３１…ＣＰＵ
３２…ＲＯＭ